【事件の表示】
　国際登録第１３１４６１３号に係る国際商標登録出願の拒絶査定に対する審判事件について，次のとおり審決する。
【結論】
　原査定を取り消す。
　本願商標は，登録すべきものとする。
【理由】
１　本願商標について
　本願商標は，別掲のとおりの構成よりなり，第５類，第２９類，第３０類及び第３２類に属する日本国を指定する国際登録において指定された商品を指定商品として，２０１６年（平成２８年）７月１２日に国際商標登録出願されたものである。
　その後，その指定商品については，当審における２０１８年（平成３０年）８月２４日付けで国際登録簿に記録された限定の通報，及び２０１８年（平成３０年）１２月６日付けで国際登録簿に記録された更正の通報があった結果，最終的に，第５類「Ｍｉｌｋ　ｓｕｇａｒ　ｆｏｒ　ｐｈａｒｍａｃｅｕｔｉｃａｌ　ｐｕｒｐｏｓｅｓ；ｌａｃｔｅａｌ　ｆｌｏｕｒ　ｆｏｒ　ｂａｂｉｅｓ；ｍｉｎｅｒａｌ　ｆｏｏｄ　ｓｕｐｐｌｅｍｅｎｔｓ；ｖｉｔａｍｉｎ　ｐｒｅｐａｒａｔｉｏｎｓ；ｃａｐｓｕｌｅｓ　ｆｏｒ　ｍｅｄｉｃｉｎｅｓ；ｐｈａｒｍａｃｅｕｔｉｃａｌ　ａｎｄ　ｖｅｔｅｒｉｎａｒｙ　ｐｒｅｐａｒａｔｉｏｎｓ；ｄｉｅｔｅｔｉｃ　ｆｏｏｄ　ａｎｄ　ｓｕｂｓｔａｎｃｅｓ　ｆｏｒ　ｍｅｄｉｃａｌ　ｏｒ　ｖｅｔｅｒｉｎａｒｙ　ｐｕｒｐｏｓｅｓ；ｎｕｔｒｉｔｉｏｎａｌ　ｓｕｐｐｌｅｍｅｎｔｓ；ｃａｌｃｉｕｍ　ｓｕｐｐｌｅｍｅｎｔｓ；ｍｉｃｒｏｏｒｇａｎｉｓｍｓ　ｆｏｒ　ｍｅｄｉｃａｌ　ｐｕｒｐｏｓｅｓ；ｆｉｒｓｔ−ａｉｄ　ｂｏｘｅｓ，ｆｉｌｌｅｄ；ｂｒａｃｅｌｅｔｓ　ｆｏｒ　ｍｅｄｉｃａｌ　ｐｕｒｐｏｓｅｓ；ｍｅｎｓｔｒｕａｔｉｏｎ　ｂａｎｄａｇｅｓ；ｂｒｅａｓｔ−ｎｕｒｓｉｎｇ　ｐａｄｓ；ａｄｈｅｓｉｖｅ　ｐｌａｓｔｅｒｓ　ｆｏｒ　ｍｅｄｉｃａｌ　ｐｕｒｐｏｓｅｓ；ｍａｔｅｒｉａｌ　ｆｏｒ　ｓｔｏｐｐｉｎｇ　ｔｅｅｔｈ；ｂａｂｉｅｓ’　ｎａｐｋｉｎｓ，ｄｉａｐｅｒｓ；ｍｅｄｉｃａｔｅｄ　ｄｉａｐｅｒｓ；ｍｏｔｈｐｒｏｏｆ　ｐａｐｅｒ；ｆｏｏｄ　ｆｏｒ　ｂａｂｉｅｓ．」，第２９類「Ｐｒｏｃｅｓｓｅｄ　ｆｒｕｉｔｓ；ｐｒｏｃｅｓｓｅｄ　ｆｏｏｄ　ｎｏｔ　ｆｏｒ　ｍｅｄｉｃａｌ　ｐｕｒｐｏｓｅｓ，ｍａｉｎｌｙ　ｍａｄｅ　ｆｒｏｍ　ｆｒｕｉｔ　ｅｘｔｒａｃｔｓ；ｐｒｏｃｅｓｓｅｄ　ｇｉｎｓｅｎｇ（ｆｏｒ　ｕｓｅ　ａｓ　ｖｅｇｅｔａｂｌｅｓ）；ｐｒｏｃｅｓｓｅｄ　ｆｏｏｄ　ｎｏｔ　ｆｏｒ　ｍｅｄｉｃａｌ　ｐｕｒｐｏｓｅｓ，ｍａｉｎｌｙ　ｍａｄｅ　ｆｒｏｍ　ｇｉｎｓｅｎｇ　ｅｘｔｒａｃｔｓ；ｐｒｏｃｅｓｓｅｄ　ｖｅｇｅｔａｂｌｅｓ；ｐｒｏｃｅｓｓｅｄ　ｆｏｏｄ　ｎｏｔ　ｆｏｒ　ｍｅｄｉｃａｌ　ｐｕｒｐｏｓｅｓ，ｍａｉｎｌｙ　ｍａｄｅ　ｆｒｏｍ　ｖｅｇｅｔａｂｌｅ　ｅｘｔｒａｃｔｓ；ｐｒｏｃｅｓｓｅｄ　ｒｅｄ　ｇｉｎｓｅｎｇ；ｐｒｏｃｅｓｓｅｄ　ｆｏｏｄ　ｎｏｔ　ｆｏｒ　ｍｅｄｉｃａｌ　ｐｕｒｐｏｓｅｓ，ｍａｉｎｌｙ　ｍａｄｅ　ｆｒｏｍ　ｒｅｄ　ｇｉｎｓｅｎｇ　ｅｘｔｒａｃｔｓ；ｐｒｏｃｅｓｓｅｄ　ｆｏｏｄ　ｎｏｔ　ｆｏｒ　ｍｅｄｉｃａｌ　ｐｕｒｐｏｓｅｓ，ｍａｉｎｌｙ　ｍａｄｅ　ｆｒｏｍ　ｃａｍｅｌｌｉａ　ｅｘｔｒａｃｔｓ；ｓｏｙａ　ｍｉｌｋ；ｆｅｒｍｅｎｔｅｄ　ｓｏｙｂｅａｎｓ［Ｎａｔｔｏ］；ｊｅｌｌｙ　ｍａｄｅ　ｆｒｏｍ　ｄｅｖｉｌｓ’　ｔｏｎｇｕｅ　ｒｏｏｔ［Ｋｏｎｎｙａｋｕ］；ｐｒｏｃｅｓｓｅｄ　ｆｏｏｄ　ｎｏｔ　ｆｏｒ　ｍｅｄｉｃａｌ　ｐｕｒｐｏｓｅｓ，ｍａｉｎｌｙ　ｍａｄｅ　ｆｒｏｍ　ｂｅａｎ　ｅｘｔｒａｃｔｓ；ｐｒｏｃｅｓｓｅｄ　ｅｇｇｓ；ｐｒｏｃｅｓｓｅｄ　ｍｅａｔ　ｐｒｏｄｕｃｔｓ；ｐｒｏｃｅｓｓｅｄ　ｄａｉｒｙ　ｐｒｏｄｕｃｔｓ；ｐｒｏｃｅｓｓｅｄ　ｆｏｏｄ　ｎｏｔ　ｆｏｒ　ｍｅｄｉｃａｌ　ｐｕｒｐｏｓｅｓ，ｍａｉｎｌｙ　ｍａｄｅ　ｆｒｏｍ　ｍｉｌｋ；ｅｄｉｂｌｅ　ｏｉｌｓ　ａｎｄ　ｆａｔｓ；ｐｒｏｃｅｓｓｅｄ　ｆｏｏｄ　ｎｏｔ　ｆｏｒ　ｍｅｄｉｃａｌ　ｐｕｒｐｏｓｅｓ，ｍａｉｎｌｙ　ｍａｄｅ　ｆｒｏｍ　ｃａｍｅｌｌｉａ　ｓｅｅｄ　ｏｉｌ；ｐｒｏｃｅｓｓｅｄ　ｓｅａｗｅｅｄ　ｐｒｏｄｕｃｔｓ；ｐｒｏｃｅｓｓｅｄ　ｆｏｏｄ　ｎｏｔ　ｆｏｒ　ｍｅｄｉｃａｌ　ｐｕｒｐｏｓｅｓ，ｍａｉｎｌｙ　ｍａｄｅ　ｆｒｏｍ　ｓｅａｗｅｅｄ　ｅｘｔｒａｃｔｓ；ｐｒｏｃｅｓｓｅｄ　ｆｏｏｄ　ｎｏｔ　ｆｏｒ　ｍｅｄｉｃａｌ　ｐｕｒｐｏｓｅｓ，ｍａｉｎｌｙ　ｍａｄｅ　ｆｒｏｍ　ｆｉｓｈ　ａｎｄ　ｓｈｅｌｌｆｉｓｈ　ｅｘｔｒａｃｔｓ．」，第３０類「Ｐｒｏｃｅｓｓｅｄ　ｆｏｏｄ　ｎｏｔ　ｆｏｒ　ｍｅｄｉｃａｌ　ｐｕｒｐｏｓｅｓ，ｍａｉｎｌｙ　ｍａｄｅ　ｆｒｏｍ　ｃｅｒｅａｌｓ；ｐｒｏｃｅｓｓｅｄ　ｃｅｒｅａｌｓ；ｍａｌｔ　ｆｏｒ　ｈｕｍａｎ　ｃｏｎｓｕｍｐｔｉｏｎ；ｃｏｎｆｅｃｔｉｏｎｅｒｙ；ｓｕｇａｒ　ｆｏｒ　ｆｏｏｄ；ｆｏｏｄ　ｆｌａｖｏｒｉｎｇｓ，ｏｔｈｅｒ　ｔｈａｎ　ｅｓｓｅｎｔｉａｌ　ｏｉｌｓ；ｇｉｎｓｅｎｇ　ｔｅａ；ｔｅａ；ｒｅｄ　ｇｉｎｓｅｎｇ　ｔｅａ；ｈｅｒｂａｌ　ｔｅａｓ，ｏｔｈｅｒ　ｔｈａｎ　ｆｏｒ　ｍｅｄｉｃｉｎａｌ　ｕｓｅ；ｔｅａ　ｓｕｂｓｔｉｔｕｔｅｓ；ｂｌａｃｋ　ｔｅａ；Ｅｎｇｌｉｓｈ　ｔｅａ；ｇｒｅｅｎ　ｔｅａ；ｌｉｍｅ　ｔｅａ；ｉｃｅｄ　ｔｅａ；ｔｅａ　ｌｅａｖｅｓ；ｐｒｏｃｅｓｓｅｄ　ｃｏｆｆｅｅ；ｔｅａ−ｂａｓｅｄ　ｂｅｖｅｒａｇｅｓ；ｔｅａ−ｂａｓｅｄ　ｂｅｖｅｒａｇｅｓ　ｃｏｎｔａｉｎｉｎｇ　ｍｉｌｋ」及び第３２類「Ｓｏｄａ　ｗａｔｅｒ；ｎｏｎ−ａｌｃｏｈｏｌｉｃ　ｃｉｎｎａｍｏｎ　ｐｕｎｃｈ　ｗｉｔｈ　ｄｒｉｅｄ　ｐｅｒｓｉｍｍｏｎ（ｓｕｊｅｏｎｇｇｗａ）；ｃａｒｂｏｎａｔｅｄ　ｄｒｉｎｋ　ｍｉｘｅｓ；ｓｙｒｕｐｓ　ｆｏｒ　ｂｅｖｅｒａｇｅｓ；ｃｏｎｃｅｎｔｒａｔｅｓ，ｓｙｒｕｐｓ　ａｎｄ　ｐｏｗｄｅｒｓ　ｕｓｅｄ　ｉｎ　ｔｈｅ　ｐｒｅｐａｒａｔｉｏｎ　ｏｆ　ｓｏｆｔ　ｄｒｉｎｋｓ；ｎｏｎ−ａｌｃｏｈｏｌｉｃ　ｃｏｃｋｔａｉｌ　ｂａｓｅｓ；ｆｒｕｉｔ　ｊｕｉｃｅ　ｂａｓｅｓ；ｐｏｗｄｅｒｓ　ｆｏｒ　ｅｆｆｅｒｖｅｓｃｉｎｇ　ｂｅｖｅｒａｇｅｓ；ｇｉｎｓｅｎｇ　ｐｏｗｄｅｒｓ　ｆｏｒ　ｂｅｖｅｒａｇｅｓ；ｒｅｄ　ｇｉｎｓｅｎｇ　ｐｏｗｄｅｒｓ　ｆｏｒ　ｂｅｖｅｒａｇｅｓ；ｆｒｕｉｔ　ｐｏｗｄｅｒｓ　ｆｏｒ　ｂｅｖｅｒａｇｅｓ；ｆｒｕｉｔ　ｅｘｔｒａｃｔｓ　ｆｏｒ　ｂｅｖｅｒａｇｅｓ；ｆｒｕｉｔ　ｓｙｒｕｐｓ　ｆｏｒ　ｂｅｖｅｒａｇｅｓ；ｒｅｄ　ｇｉｎｓｅｎｇ　ｅｘｔｒａｃｔｓ　ｆｏｒ　ｂｅｖｅｒａｇｅｓ；ｇｉｎｓｅｎｇ　ｅｘｔｒａｃｔｓ　ｆｏｒ　ｂｅｖｅｒａｇｅｓ；ｎｏｎ−ａｌｃｏｈｏｌｉｃ　ｆｒｕｉｔ　ｅｘｔｒａｃｔｓ；ｐａｓｔｉｌｌｅｓ　ｆｏｒ　ｅｆｆｅｒｖｅｓｃｉｎｇ　ｂｅｖｅｒａｇｅｓ；ｂｅｖｅｒａｇｅｓ　ｍａｄｅ　ｆｒｏｍ　ｐｒｏｃｅｓｓｅｄ　ｖｅｇｅｔａｂｌｅｓ　ｏｒ　ｆｒｕｉｔｓ；ｗａｔｅｒｓ；ｃａｒｂｏｎａｔｅｄ　ｄｒｉｎｋｓ；ｖｅｇｅｔａｂｌｅ　ｊｕｉｃｅｓ［ｂｅｖｅｒａｇｅｓ］；ｂｅｅｒ；ａｅｒａｔｅｄ　ｗａｔｅｒ；ｆｒｕｉｔ　ｂｅｖｅｒａｇｅｓ；ｎｏｎ−ａｌｃｏｈｏｌｉｃ　ｂｅｖｅｒａｇｅｓ．」とされたものである。
２　原査定の拒絶の理由の要点
　（１）本願商標は，第５類，第２９類及び第３０類において広い範囲にわたる商品を指定しており，出願人（請求人）が本願商標をそれらの指定商品の全てについて使用しているか，又は近い将来使用をすることについて疑義があるため，商標法第３条第１項柱書の要件を具備しない。
　（２）本願の指定商品中，第２９類「Ｆｏｏｄ　ｐｒｏｄｕｃｔｓ　ｍａｄｅ　ｐｒｉｍａｒｉｌｙ　ｆｒｏｍ　ｆｒｕｉｔｓ；ｈｅａｌｔｈ　ｆｕｎｃｔｉｏｎａｌ　ｆｏｏｄｓ　ｂａｓｅｄ　ｏｎ　ｆｒｕｉｔ　ｅｘｔｒａｃｔｓ；ｈｅａｌｔｈ　ｆｕｎｃｔｉｏｎａｌ　ｆｏｏｄｓ　ｂａｓｅｄ　ｏｎ　ｇｉｎｓｅｎｇ　ｅｘｔｒａｃｔｓ；ｐｒｏｃｅｓｓｅｄ　ｖｅｇｅｔａｂｌｅ　ｐｒｏｄｕｃｔｓ；ｈｅａｌｔｈ　ｆｕｎｃｔｉｏｎａｌ　ｆｏｏｄｓ　ｂａｓｅｄ　ｏｎ　ｖｅｇｅｔａｂｌｅ　ｅｘｔｒａｃｔｓ；ｈｅａｌｔｈ　ｆｕｎｃｔｉｏｎａｌ　ｆｏｏｄｓ　ｂａｓｅｄ　ｏｎ　ｒｅｄ　ｇｉｎｓｅｎｇ　ｅｘｔｒａｃｔｓ；ｈｅａｌｔｈ　ｆｕｎｃｔｉｏｎａｌ　ｆｏｏｄｓ　ｂａｓｅｄ　ｏｎ　ｃａｍｅｌｌｉａ　ｅｘｔｒａｃｔｓ；ｂｅａｎ　ｐｒｏｃｅｓｓｅｄ　ｆｏｏｄｓｔｕｆｆｓ，ｅｘｃｌｕｄｉｎｇ　ｂｅａｎ　ｃｕｒｄｓ（ｔｏｆｕ）ａｎｄ　ｔｈｅｉｒ　ｐｒｏｃｅｓｓｅｄ　ｆｏｏｄｓｔｕｆｆｓ；ｈｅａｌｔｈ　ｆｕｎｃｔｉｏｎａｌ　ｆｏｏｄｓ　ｂａｓｅｄ　ｏｎ　ｂｅａｎｓ　ｅｘｔｒａｃｔｓ；ｈｅａｌｔｈ　ｆｕｎｃｔｉｏｎａｌ　ｆｏｏｄｓ　ｂａｓｅｄ　ｏｎ　ｍｉｌｋ　ｅｘｔｒａｃｔｓ；ｆｏｏｄ　ｐｒｏｄｕｃｔｓ　ｍａｄｅ　ｆｒｏｍ　ｏｉｌ　ａｎｄ　ｆａｔ；ｈｅａｌｔｈ　ｆｕｎｃｔｉｏｎａｌ　ｆｏｏｄｓ　ｂａｓｅｄ　ｏｎ　ｃａｍｅｌｌｉａ　ｓｅｅｄ　ｏｉｌ；ｈｅａｌｔｈ　ｆｕｎｃｔｉｏｎａｌ　ｆｏｏｄｓ　ｂａｓｅｄ　ｏｎ　ｓｅａｗｅｅｄ　ｅｘｔｒａｃｔｓ；ｈｅａｌｔｈ　ｆｕｎｃｔｉｏｎａｌ　ｆｏｏｄｓ　ｂａｓｅｄ　ｏｎ　ｆｉｓｈ　ａｎｄ　ｓｈｅｌｌｆｉｓｈ　ｅｘｔｒａｃｔｓ．」，第３０類「Ｈｅａｌｔｈ　ｆｕｎｃｔｉｏｎａｌ　ｆｏｏｄｓ　ｂａｓｅｄ　ｏｎ　ｃｅｒｅａｌｓ；ｈｅａｌｔｈ　ｆｕｎｃｔｉｏｎａｌ　ｆｏｏｄｓ　ｂａｓｅｄ　ｏｎ　ｇｒｅｅｎ　ｔｅａ．」及び第３２類「Ｐｒｅｐａｒａｔｉｏｎｓ　ｆｏｒ　ｂｅｖｅｒａｇｅｓ；ｂｅｖｅｒａｇｅｓ．」は，その内容及び範囲を明確に指定したものとは認められない。
　したがって，本願は，商標法第６条第１項の要件を具備しない。
　（３）本願商標は，登録第４３１２４８２号（以下「引用商標１」という。），登録第５３９９１９１号（以下「引用商標２」という。），登録第５４１８３６０号（以下「引用商標３」という。），登録第５４４４３６３号（以下「引用商標４」という。）及び登録第５４４４３６４号（以下「引用商標５」という。）に係る商標（以下，これらをまとめて「引用商標」という。）と類似の商標であって，引用商標の指定商品と同一又は類似の商品について使用するものであるから，商標法第４条第１項第１１号に該当する。
３　当審の判断
　（１）商標法第３条第１項柱書該当性について
　本願の指定商品は，前記１のとおり限定の結果，本願の請求人（出願人）が本願商標をその指定商品に使用していること又は近い将来使用することについて疑義がなくなったものと認められる。
　したがって，本願商標が商標法第３条第１項柱書の要件を具備しないとして本願を拒絶した原査定の拒絶の理由は，解消した。
　（２）商標法第６条第１項該当性について
　本願の指定商品は，前記１のとおり限定及び更正の結果，その商品の内容及び範囲が明確なものとなったと認められる。
　したがって，本願が商標法第６条第１項の要件を具備しないとして本願を拒絶した原査定の拒絶の理由は，解消した。
　（３）商標法第４条第１項第１１号該当性について
　ア　引用商標１の商標権は，商標登録原簿の記載によれば，指定商品の一部について商標登録を取り消すべき旨の審決が確定し，その確定審決の登録が平成３０年２月９にされているものである。
　イ　本願の請求人（出願人）の住所は，２０１７年（平成２９年）１１月１６日に国際登録簿に記録された名義人名等変更通報により変更され，また，引用商標２，４及び５の商標権は，商標登録原簿の記載によれば，平成２９年１１月２０日に登録名義人の表示の変更がされた結果，その権利者の住所が本願の請求人（出願人）の住所と同一になったことが認められる。
　ウ　引用商標３の商標権は，商標登録原簿の記載によれば，商標登録を取り消すべき旨の審決が確定し，その確定審決の登録が平成３０年２月６日にされているものである。
　エ　したがって，本願商標が商標法第４条第１項第１１号に該当するとした原査定の拒絶の理由は，解消した。
　（４）まとめ
　以上のとおり，本願商標は，商標法第３条第１項柱書及び同法第４条第１項第１１号のいずれにも該当せず，本願は，同法第６条第１項の要件を具備するものになった。
　その他，本願について拒絶の理由を発見しない。
　よって，結論のとおり審決する。